(57)【要約】      （修正有）【課題】接触板が優れた弾性的な変形能力を有し、接触板の先端が被接触板に容易に接触しないカード検知スイッチを備えるカード用コネクタを提供する。【解決手段】開口を形成する凹部を有する板状のハウジングと凹部を覆うカバーとを備えるカード用コネクタであって、凹部の開口に対向する対向壁に配置され、接触板３１と被接触板３２で構成されるカード検知スイッチを備え、凹部の対向壁の一端に隣接する箇所には第一階段壁１７１と第二階段壁１７２を有する階段溝１７が貫通して形成され、接触板は対向壁の他端に固定される基端部と、カードの先端縁に当接する当接部及び前記被接触板に接触できる凸部とを有する接触アームとを有し、被接触板は対向壁の他端に固定される基端部と、凸部に近接配置される接触部を有する弾性アームとを有し、接触板の接触アームと被接触板の弾性アームとは第一階段壁と第二階段壁にそれぞれ当接する当接末端を有する。【選択図】図５
0003152837.tif 000002
【実用新案登録請求の範囲】
【請求項１】
略矩形に形成されたカードが挿抜される開口を形成する凹部を有する板状のハウジングと、この凹部を覆うカバーと、を備えるカード用コネクタであって、
前記凹部の開口に対向する対向壁に配置され、接触板と被接触板で構成されるカード検知スイッチを備え、
前記凹部の対向壁の一端に隣接する箇所には第一階段壁と第二階段壁を有する階段溝が貫通して形成され、
前記接触板は、前記対向壁の他端に固定される基端部と、この基端部から延びて前記カードの先端縁に当接する当接部及び前記被接触板に接触できる凸部とを有する接触アームと、を有し、
前記被接触板は、前記対向壁の他端に固定される基端部と、この基端部から延びて前記当接部の先端での凸部に近接配置される接触部を有する弾性アームと、を有し、
前記接触板の接触アームと被接触板の弾性アームとは、前記第一階段壁と第二階段壁にそれぞれ当接して、前記接触板及び被接触板の前記開口向きの弾性変形の付勢が制限される当接末端を有することを特徴とするカード用コネクタ。
【請求項２】
前記接触板は、前記当接部を有する接触アームと、前記対向壁と平行に配置され、前記接触アームとの間に所定の角度を成す保持アームと、前記接触アームと保持アームを連接し、前記接触板の基端部としての連接部とを有することを特徴とする請求項１に記載のカード用コネクタ。
【請求項３】
前記被接触板の弾性アームは、前記接触板の接触アームと保持アームとの間に配置されることを特徴とする請求項２に記載のカード用コネクタ。
【請求項４】
前記接触板の基端部としての連接部はＵ字形状を呈し、前記被接触板の基端部が前記連接部で包囲されることを特徴とする請求項２又は３に記載のカード用コネクタ。
【考案の詳細な説明】
【技術分野】
【０００１】
本考案は、カード用コネクタに関する。特に、本考案は、メモリカードが挿入されたこと検知するスイッチを備えるカード用コネクタの構造に関する。
【背景技術】
【０００２】
従来技術のカード用コネクタは、特許文献１に示すように、ハウジングと該ハウジングに装着されるコンタクトとを備える。ハウジングはカードを挿入される凹部が設けられ、カード検知スイッチは接触板と被接触板で構成され、凹部の開口に対向する対向壁に配置される。接触板が対向壁の一端に固定される基端部と、基端部から延出してカードの先端縁に当接する当接片を有する。被接触板は対向壁の他端が固定される基端部と、接触板の当接片の先端に近接配置される接触部を有する。カードを装着すると、カードの先端縁が接触片の当接片に押されて、接触板における当接片の先端が被接触板の接触部に当接する。即ち、接触板と被接触板は電気的に接続状態となり、カードの装着状態が検知される。
【先行技術文献】
【特許文献】
【０００３】
【特許文献１】米国特許第５３３４０３４号明細書
【考案の概要】
【考案が解決しようとする課題】
【０００４】
従来のカード用コネクタのカード検知スイッチは、接触片の基端部が対向壁の一端に保持され、被接触片の基端部が対向壁の他端に保持されるので、接触片の長さが所定の範囲に限定され、接触板の弾性的な変形能力が小さくなり、接触板の寿命に影響を及ぼすことが恐れがあり、使用時間が長くなると、カードが装着されていないにもかかわらず、接触板の先端が被接触板に接触することがあり得る。所謂、誤検出の問題がある。そこで、新型のカード用コネクタを開発することが必要である。
【０００５】
本考案は上記問題点を解消するためなされたものであり、接触板が優れた弾性的な変形能力を有し、接触板の先端が被接触板に容易に接触しないカード検知スイッチを備えるカード用コネクタを提供することを目的とする。
【課題を解決するための手段】
【０００６】
前記問題を解決するために、本考案は、略矩形に形成されたカードが挿抜される開口を形成する凹部を有する板状のハウジングと、この凹部を覆うカバーと、を備えるカード用コネクタであって、前記凹部の開口に対向する対向壁に配置され、接触板と被接触板で構成されるカード検知スイッチを備え、前記凹部の対向壁の一端に隣接する箇所には第一階段壁と第二階段壁を有する階段溝が貫通して形成され、
前記接触板は、前記対向壁の他端に固定される基端部と、この基端部から延びて前記カードの先端縁に当接する当接部及び前記被接触板に接触できる凸部とを有する接触アームと、を有し、前記被接触板は、前記対向壁の他端に固定される基端部と、この基端部から延びて前記当接部の先端での凸部に近接配置される接触部を有する弾性アームと、を有し、前記接触板の接触アームと被接触板の弾性アームとは、前記第一階段壁と第二階段壁にそれぞれ当接して、前記接触板及び被接触板の前記開口へ向きの弾性変形の付勢が制限される当接末端を有することを特徴とする。
【考案の効果】
【０００７】
本考案のカード用コネクタは、カード検知スイッチは、接触アームの基端部と、被接触板の基端部が対向壁の同じ一端に保持されるので接触板の接触アームと被接触部の弾性アームがより長いので、弾性変形能力が向上し、接触板の先端が被接触板の接触部に不用意に短絡することを防止できる。
【図面の簡単な説明】
【０００８】
【図１】本考案に係るカード用コネクタの組立斜視図である。
【図２】本考案に係るカード用コネクタの分解斜視図である。
【図３】本考案に係るカード用コネクタの分解斜視図であり、カバーを外した状態の分解斜視図である。
【図４】図３に示すカード用コネクタのほかの角度から見た分解斜視図である。
【図５】本考案に係るカード用コネクタの平面図であり、カバーを外した状態図である。
【考案を実施するための形態】
【０００９】
以下、図１〜図５を参照すると、本考案のカード用コネクタ１００の好ましい実施形態について説明する。本考案のカード用コネクタ１００は、板状のハウジング１とカバー５を備え、ハウジング１は、カードを挿入される開口１１を形成する凹部１０を有している。カバー５はハウジング１の凹部１０を覆っている。ハウジング１は絶縁性の合成樹脂材で矩形状に形成されている。カバー５は、金属板で形成されている。
【００１０】
カード用コネクタ１００は、ロック部材４１、スライダ４２、圧縮コイルばね４３で構成されたイジェクト機構４を備えている。スライダ４２は、カードの挿抜方向と平行する方向に進退するように、凹部１０の片翼に配置されている。又、スライダ４２は、ハート型のカム溝を表面に形成している。ロック部材４１は、金属の線材からなり、一端がスライド４２に形成されたハート型のカム溝に摺接され、他端がハウジング１に保持される。圧縮コイルばね４３は、ハウジング1に保持され、スライダ４２をカードが排出される方向に力を付勢している。前記ロック部材４１と前記ハート型カム溝との協働によって、前記スライド４２は、前記圧縮コイルばね４３の付勢力に抗してカードの挿着位置に保持されるものとなっている。
【００１１】
カード用コネクタ１００はハウジング１にカバー５が取り付けられることにより、カードが挿入される開口１１が形成され、薄直方体形状のカード保持部が形成される。そして、ハウジング２の凹部１０に８本のコンタクト２が並設配置されている。複数のコンタクト２は、カードの表面に形成された複数の接続端子と一体に電気的及び機械的に接触する。
【００１２】
コンタクト２は、ばねの働きが片持ち梁であるカンチレバーコンタクトであってよく、弾性アーム２１と固定アーム２２で構成される。弾性アーム２１は、凹部１０の底面から突出して、カードに形成された接続端子に接触する接点が設けられる。固定アーム２２は凹部１０に保持されている。又、リード部２３が固定アーム２２の端部に形成され、リード部２３をプリント基板（図示せず）にはんだ接合することにより、カード用コネクタ１００を表面実装用コネクタとすることができる。
【００１３】
ハウジング１は、対向する一対の側壁１３、１４と、一対の側壁１３、１４と直交してカードの先端縁と対向する対向壁１２を有している。一方の側壁１４は、実質的にスライダの側壁を利用している。そして、凹部１０がカバー５で覆われることにより、対向壁１２と対向してカードが挿入される長方形の開口１１が形成される。
【００１４】
カバー５は、翼部５２が直角に折り曲げ加工されている。これらの折り曲げ片には複数の矩形穴５２１が形成されている。複数の矩形穴５２１がハウジング１の両側面に突出するランス１６に係止することにより、カバー５が組み込まれる。又、カバー５には、プリント基板にはんだ接合されるリード部５２２が設けられている。凹部１０と対向するカバー５の面５１には、前記イジェクト機構４のロック部材４１を押すための弾性片５１１が設けられている。
【００１５】
前記凹部１０の対向壁１２には、カードが装着位置に在ることを電気的に検知するカード検知スイッチ３が配置されている。カード検知スイッチ３は、接触板３１と被接触板３２で構成されている。カードが装着位置に在るときは、カードに押されて接触板３１が変位して、接触板３１と被接触板３２とが電気的に接続状態となる。カードをイジェクトすると、接触板３１は復帰して、接触板３１と被接触板３２とは電気的に離間状態となり、このようにカードの有無が検知される。
【００１６】
前記接触板３１は、カードに接触するように開口１１へ向きに斜めに延出する接触アーム３１４と、接触アーム３１４との間に所定の角度を成す保持アーム３１０とを含み、保持アーム３１０は対向壁１２に保持され、対向壁１２と平行に延出している。接触アーム３１４と保持アーム３１０がＵ字形状を呈する連接部３１３により連接している。接触アーム３１４は、ばねの働きが片持ち梁である弾性変形可能な板ばねであってよく、カードに接触する当接部３１５と自由末端での被接触板３２に接触する凸部３１２とが設けられる。保持アーム３１０は、自由末端でのプリント基板にはんだ接合されるリード部３１１と、連接部３１３に連接する箇所でのプリント基板に保持される基端部（参照記号なし）とが設けられる。
【００１７】
前記被接触板３２は、ばねの働きが片持ち梁である弾性変形可能な板ばねであってよく、基端部３２０から延びて接触板３１の凸部３１２に近接配置される接触部３２２を設ける弾性アーム３２３を有する。被接触板３２は、前記保持アーム３１０と接触アーム３１４の間に配置され、接触部３２２が接触アーム３１４に近接配置され、基端部３２０が接触板３１のＵ字形状を呈する連接部３１３に包囲し配置され、基端部３２０にプリント基板にはんだ接合されるリード部３２１が設けられる。
【００１８】
前記接触板３１の連接部３１３が凹部１０に形成された保持溝１２１に収容し保持され、被接触板３２の基端部３２０は、平行な一対の隔離壁１２２の間に保持され、該等隔離壁１２２により連接部３１３と離間して、接触板３１と被接触片３２の短絡することを防止できる。
【００１９】
凹部１０には、接触板３１の接触アーム３１４の末端と被接触板３２の末端に対応し当接する階段溝１７が形成され、該階段溝１７がＬ字形状を呈し、対向壁１２に近接する第一階段壁１７１が被接触板３２の当接末端３２６に当接され、前記第一階段壁１７１より対向壁１２に遠離する第二階段壁１７２が接触板３１の接触アーム３１４の当接末端３１６に当接される。被接触板３２と接触アーム３１４はばねの働きが片持ち梁である弾性変形可能な板ばねであるので、カードが挿入しない時に、当接末端３１６、３２６が前記第一階段壁１７１と第二階段壁１７２にそれぞれ当接して、弾性アーム３２３及び接触アーム３１４の開口１１へ向きの弾性変形の付勢が制限される。また、接触板３１の接触アーム３１４の弾性変形で前記リード部３１１がプリント基板から上げ外すことを防止できるために、対向壁１２の外側に前記保持アーム３１０の上面に押す突出部１５が設けられる。
【００２０】
カード１を凹部１０に挿入すると、カードの先端縁に押されて、接触アーム３１４は、階段溝１７の第二階段壁１７２から離反する方向に変形して、凸部３１２は被接触板３２の接触部３２２に接触できる。カードをイジェクトすると、接触アーム３１４の末端は、第二階段壁１７２に向かう方向に弾性復帰できる。
【００２１】
このように、本考案のカード用コネクタ１００は、カード検知スイッチ３は、接触アーム３１４の基端部としての連接部３１３と、被接触板３２の基端部３２０が対向壁１２の同じ一端に保持されるので接触板３１の接触アーム３１４と被接触部３２の弾性アーム３２３がより長いので、弾性変形能力が向上し、接触板３１の先端が被接触板３２の接触部３２２に不用意に短絡することを防止できる。
【００２２】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２３】
１００  カード用コネクタ
１  ハウジング
１０  凹部
１１  開口
１２  対向壁
１２１  保持溝
１２２  隔離壁
１３、１４  側壁
１５  突出部
１６  ランス
１７  階段溝
１７１  第一階段壁
１７２  第二階段壁
２  コンタクト
２１  弾性アーム
２２  固定アーム
２３  リード部
３  カード検知スイッチ
３１  接触板
３１０  保持アーム
３１１  リード部
３１２  凸部
３１３  連接部
３１４  接触アーム
３１５  当接部
３１６、３２６  当接末端
３２  被接触部
３２０  基端部
３２１  リード部
３２２  接触部
３２３  弾性アーム
４  イジェクト機構
４１  ロック部材
４２  スライド
４３  圧縮コイルばね
５  カバー
５１  面
５１１  弾性片
５２  翼部
５２１  矩形孔
５２２  リード部
【図１】
0003152837.tif 000003
【図２】
0003152837.tif 000004
【図３】
0003152837.tif 000005
【図４】
0003152837.tif 000006
【図５】
0003152837.tif 000007